(57)【要約】【課題】  移動先で支払の発生する業務（ピザ配達、タクシー等）では、作業員分の釣銭を予め準備しておく必要がある。これは複数の金種を組み合わせて作製するため、作製に時間を要する、金額に誤りが発生する等の問題点がある。また、複数組用意した場合、各組が混在することが無い様に保管する必要がある。【解決手段】棒状にした棒金に両替する両替装置において、両替する金額に相当する金種とその枚数とからなる組合せを予め準備して一本の棒金にする異金種枚数別棒金の作製と収納を行う第１の手段と、両替する金額に相当する指定した金種とその枚数の組合せからなる新たな異金種枚数別棒金の作製と収納を行う第２の手段と、前記第１または第２の手段を選択して所望の異金種枚数別棒金を出金できる第３の手段を有するようにする。【選択図】図１
2008146372.tif 000002
【特許請求の範囲】
【請求項１】
棒状にした棒金に両替する両替装置において、両替する金種と枚数とを指定する手段と、指定した前記金種を金種毎に指定した枚数の棒金にする手段を有することを特徴とする両替装置。
【請求項２】
棒状にした棒金に両替する両替装置において、両替する金額に相当する金種とその枚数とからなる組合せを予め準備して一本の棒金にする異金種枚数別棒金の作製と収納を行う第１の手段と、両替する金額に相当する指定した金種とその枚数の組合せからなる新たな異金種枚数別棒金の作製と収納を行う第２の手段と、前記第１または第２の手段を選択して所望の異金種枚数別棒金を出金できる第３の手段を有することを特徴とする両替装置。
【発明の詳細な説明】
【技術分野】
【０００１】
本発明は、両替装置に係り、特に、棒金への両替を行う両替装置に関する。
【背景技術】
【０００２】
棒金への両替機能を有する両替装置は従来から存在しているが、これらは、単一の金種を纏めたものである。特開平０７−１４１５３８号公報記載の発明では、棒金による現金支払いが可能であるが、取り扱う棒金は単一の金種を纏めたものである。また、特開平０９−１４７１８４号公報記載の発明では、同金種の硬貨を所定枚数包装し棒金を作成する機能を有しているが、異なる金種を纏めて棒金にすることはなかった。
【０００３】
【特許文献１】特開平０７−１４１５３８号特開平０９−１４７１８４号
【発明の開示】
【発明が解決しようとする課題】
【０００４】
上述したように、従来の両替装置においては、単一金種の硬貨を纏めた棒金が出金されるため、釣銭等に利用するために一定金額分の複数金種の貨幣が必要となる場合には、各金種毎の棒金を開封した後、必要な枚数を組合せる必要がある。また、釣銭等を複数組準備した場合、それらを混在させることなく保管する必要がある。
本発明は、かかる問題点を解消するため、利用者の必要に応じて、異なる金種を、金種毎に指定された枚数で纏めた棒金（以下「異金種枚数別棒金」という。）を得ることができる両替装置の提供を目的とする。
【課題を解決するための手段】
【０００５】
両替装置に係る本発明は、上記の目的を達成するために、棒状にした棒金に両替する両替装置において、両替する金種と枚数とを指定する手段と、指定した前記金種を金種毎に指定した枚数の棒金にする手段を有することを特徴とする。
また、本発明は、棒状にした棒金に両替する両替装置において、両替する金額に相当する金種とその枚数とからなる組合せを予め準備して一本の棒金にする異金種枚数別棒金の作製と収納を行う第１の手段と、両替する金額に相当する指定した金種とその枚数の組合せからなる新たな異金種枚数別棒金の作製と収納を行う第２の手段と、前記第１または第２の手段を選択して所望の異金種枚数別棒金を出金できる第３の手段を有することを特徴とする。
【発明の効果】
【０００６】
本発明によれば、利用者が必要とする一定金額分の、釣銭用硬貨を作製する手間が省略され、さらに使用時の硬貨の計数が省略できる。また、釣銭用硬貨が複数組必要である場合に、お互いの硬貨が混ざることが無いため、管理が容易になる。
【発明を実施するための最良の形態】
【０００７】
以下、本発明の一実施例を図面を参照しながら説明する。
【実施例】
【０００８】
図１は、本発明の実施例の異金種枚数別棒金両替装置１０１の構成を示す図である。異金種枚数別棒金両替装置１０１は、利用者が操作入力を行う入力部１０２と、入金金額などの情報を表示する表示部１０３と、利用者が両替する金額を投入する入金部１０４と、処理制御するプログラムを記憶している記憶部１０５と、異金種枚数別棒金両替装置１０１全体を制御する制御部１０６と、作製済の異金種枚数別棒金を収納しておくための収納部１０７と、異金種枚数別棒金を出金する出金部１０８と、利用者が金種と枚数を指定した異金種枚数別棒金を作製する棒金作製部１０９を有している。
【０００９】
図２は、異金種枚数別棒金２０１の一例を示したものである。異金種枚数別棒金２０１は、利用者が、金種と、金種毎の枚数を指定したものを、一本の棒状に包帯した棒金である。
【００１０】
図３は、図１に示す収納部１０７の構成を示したものである。収納部１０７は、異金種枚数別棒金２０１を収納するカセット１５１〜１６０を有しており、カセット毎に、金種と枚数の組合せが異なる異金種枚数別棒金２０１を収納することができる。カセット１５１〜１６０はそれぞれ独立しており、各カセットに収納されている棒金の、金種と枚数の組合せと、棒金の残数は、記憶部１０５によって記憶される。棒金の残りが一定より少なくなった際には、棒金作製部１０９が、不足している組合せの異金種枚数別棒金２０１を作成し、自動で補充を行うことができる。棒金の補充については、作業員が、カセットに対して異金種枚数別棒金２０１を追加することで補充してもよい。また、カセットの数は１０個に限定されるものではなく、これは変更可能である。なお、収納部１０７は、装置によっては存在しない場合もある。収納部１０７がない場合は、利用者が指定した組合せの異金種枚数別棒金２０１を棒金作製部１０９で作製し、両替する。
【００１１】
図４は、図１に示す棒金作製部１０９の構成を示したものである。棒金作製部１０９は、異金種枚数別棒金２０１を作製するための紙幣および硬貨を収納するカセット１６１〜１７０を有している。カセット１６１〜１７０はそれぞれ独立しており、各カセットに収納されている枚数は、記憶部１０５によって記憶される。棒金作製部１０９が異金種枚数別棒金２０１の作製を指示された場合、カセット１６１〜１７０の紙幣および硬貨を使用して、異金種枚数別棒金２０１を作製する。カセット１６１〜１７０は取外し可能であり、作業員が直接補充することが可能である。なお、棒金作製部１０９は、装置によっては存在しない場合もある。棒金作製部１０９が存在しない場合は、収納部１０７に収納されている異金種枚数別棒金２０１の中から両替する棒金の組合せを選択させる。
【００１２】
図５は、図１に示す表示部１０３に表示される、異金種枚数別棒金作成画面３０１である。本画面は、利用者へのメッセージを表示するメッセージ表示部３１１と、入金金額を表示する入金金額表示部３１２と、異金種枚数別棒金２０１を構成する、金種と枚数を表示する硬貨枚数表示部３１３と、異金種枚数別棒金２０１の組合せ枚数を指定するための数字キー３１４と、枚数を指定する金種を選択するための矢印キー３１５と、組合せの入力が完了した際に押下する決定キー３１６から構成される。なお、決定キー３１６を、利用者が入力した金額が入金金額より少ない時点で押下した場合、入金金額と一致するように残金を自動で振り分けることができる。
【００１３】
図６は、図１に示す表示部１０３に表示される、異金種枚数別棒金選択画面３０２である。本画面は、利用者へのメッセージを表示するメッセージ表示部３２１と、入金金額を表示する入金金額表示部３２２と、入金金額と同額の、収納部１０７に収納されている異金種枚数別棒金２０１を一覧表示して、出金する棒金を選択させるための、出金棒金選択キー３２３〜３２４と、出金棒金選択キー３２３〜３２４に希望する組合せが存在しなかった場合に、異金種枚数別棒金作製画面３０１を表示して、棒金の作成を開始するための、棒金作製キー３２５で構成される。出金棒金選択キー３２３〜３２４の数は可変であり、収納部１０７に収納されている、両替対象の棒金の種類分表示される。
【００１４】
なお、以上の本発明おける異金種枚数別棒金は、硬貨のみによる一本の棒金について説明したが、もとよりこれに限定されるものではなく、硬貨と紙幣の組合せまたは紙幣のみの組合せであってもよい。例えば、紙幣を硬貨大のサイズに折りたたみ、硬貨と同様に並べて棒状にし、紙幣を硬貨の幅、直径に合わせて折りたたみ、硬貨の棒金にあわせるようにする。
【００１５】
図７は、異金種枚数別棒金両替装置１０１の両替フローである。
【００１６】
４０１：異金種枚数別棒金両替装置１０１の利用者は、入金部１０４に、両替したい金額を投入する。
【００１７】
４０２：制御部１０６は、入金金額と同額の異金種枚数別棒金が収納部１０７に収納されているかを判断する。
【００１８】
４０３：該当する棒金が収納されていた場合、表示部１０３に異金種枚数別棒金選択画面３０２を表示し、該当する棒金すべてを出金棒金選択キー３２３に表示する。
【００１９】
４０４：利用者は、収納されている異金種枚数別棒金の一覧に、希望と一致した組合せの棒金が存在しているか判断する。
【００２０】
４０５：希望する棒金が存在していた場合、入力部１０２から該当するキーを押下する。
【００２１】
４０６：これによって、制御部１０６は選択された異金種枚数別棒金を収納部１０７から出金部１０８へ搬送する。
【００２２】
４０７：４０２で入金金額と同額の異金種枚数別棒金が収納されていなかった場合や、４０４で利用者が希望する異金種枚数別棒金が存在していなかった場合、表示部１０３に異金種枚数別棒金作成画面３０１を表示する。
【００２３】
４０８：利用者は、数字キー３１４と矢印キー３１５を使用し、金種毎に希望する枚数を入力する。
【００２４】
４０９：制御部１０６は、指定された枚数の異金種枚数別棒金の作製を棒金作製部１０９に依頼する。棒金作製部１０９は指定された金種と枚数をカセットから取得し、異金種枚数別棒金を作製する。
【００２５】
４１０：作製された異金種枚数別棒金は、出金部１０８へ搬送される。
【００２６】
４１１：搬送された異金種枚数別棒金は、出金部１０８から出金される。
【図面の簡単な説明】
【００２７】
【図１】異金種枚数別棒金両替装置の構成を示すブロック図である。
【図２】異金種枚数別棒金の図である。
【図３】収納部の平面構成図である。
【図４】棒金作製部の平面構成図である。
【図５】異金種枚数別棒金の作製画面である。
【図６】異金種枚数別棒金の選択画面である。
【図７】異金種枚数別棒金の両替手順を示すフロー図である。
【符号の説明】
【００２８】
１０１：異金種枚数別棒金両替装置
１０２：入力部
１０３：表示部
１０４：入金部
１０５：記憶部
１０６：制御部
１０７：収納部
１０８：出金部
１０９：棒金作製部
１４１：搬送路
１５１〜１６０：異金種枚数別棒金カセット
１６１〜１７０：カセット
２０１：異金種枚数別棒金
３１１：メッセージ表示部
３１２：入金金額表示部
３１３：硬貨枚数表示部
３１４：数字キー
３１５：矢印キー
３１６：決定キー
３２１：メッセージ表示部
３２２：入金金額表示部
３２３〜３２４：出金棒金選択キー
３２５：棒金作製キー
【図１】
2008146372.tif 000003
【図２】
2008146372.tif 000004
【図３】
2008146372.tif 000005
【図４】
2008146372.tif 000006
【図５】
2008146372.tif 000007
【図６】
2008146372.tif 000008
【図７】
2008146372.tif 000009